(57)【要約】  本出願は、ガスタービンの燃焼ガス流とともに使用するための選択的触媒還元システムを提供する。この選択的触媒還元システムは、ガスタービンの周りに配置された入り口、入り口の周りに配置された複合型アンモニア調節空気注入グリッド、および複合型アンモニア調節空気注入グリッドの下流に配置された触媒を含むことができる。複合型アンモニア調節空気注入グリッドは、空気およびアンモニアを触媒の上流の燃焼ガス流に注入する。【選択図】図１
2020503485.tif 000002
【特許請求の範囲】
【請求項１】
ガスタービン（１０）の燃焼ガス流（３５）とともに使用するための選択的触媒還元システム（１００）であって、
前記ガスタービン（１０）の周りに配置された入り口（１１０）、
前記入り口（１１０）の周りに配置された複合型アンモニア調節空気注入グリッド（１４０）、および
前記複合型アンモニア調節空気注入グリッド（１４０）の下流に配置された触媒（１３０）
を備え、
前記複合型アンモニア調節空気注入グリッド（１４０）が、空気（２０）およびアンモニア（１８０）を前記触媒（１３０）の上流の前記燃焼ガス流（３５）に注入する、
選択的触媒還元システム（１００）。
【請求項２】
前記複合型アンモニア調節空気注入グリッド（１４０）が、複数の空気注入ランス（１６０）を含む、請求項１記載の選択的触媒還元システム（１００）。
【請求項３】
前記複合型アンモニア調節空気注入グリッド（１４０）が、前記複数の空気注入ランス（１６０）と連通している空気源（２０）を含む、請求項２記載の選択的触媒還元システム（１００）。
【請求項４】
前記複合型アンモニア調節空気注入グリッド（１４０）が、前記複数の空気注入ランス（１６０）と連通している１つまたは複数の空気導管（１７０）を含む、請求項２記載の選択的触媒還元システム（１００）。
【請求項５】
前記複合型アンモニア調節空気注入グリッド（１４０）が、前記複数の空気注入ランス（１６０）と連通している１つまたは複数のファン（１５０）を含む、請求項２記載の選択的触媒還元システム（１００）。
【請求項６】
前記複合型アンモニア調節空気注入グリッド（１４０）が、複数のアンモニア注入ランス（２００）を含む、請求項２記載の選択的触媒還元システム（１００）。
【請求項７】
前記複数のアンモニア注入ランス（２００）が、前記複数の空気注入ランス（１６０）の周りに配置されている、請求項６記載の選択的触媒還元システム（１００）。
【請求項８】
前記複数の空気注入ランス（１６０）からの前記空気流れ（２０）が、前記複数のアンモニア注入ランス（２００）を冷却する、請求項６記載の選択的触媒還元システム（１００）。
【請求項９】
前記複合型アンモニア調節空気注入グリッド（１４０）が、前記複数のアンモニア注入ランス（２００）と連通しているアンモニア源（１９０）を含む、請求項６記載の選択的触媒還元システム（１００）。
【請求項１０】
前記複合型アンモニア調節空気注入グリッド（１４０）が、前記複数のアンモニア注入ランス（２００）と連通している１つまたは複数のアンモニア導管（２１０）を含む、請求項６記載の選択的触媒還元システム（１００）。
【請求項１１】
前記複合型アンモニア調節空気注入グリッド（１４０）の下流に配置されたガス混合器（２２０）をさらに備える、請求項１記載の選択的触媒還元システム（１００）。
【請求項１２】
前記複合型アンモニア調節空気注入グリッド（１４０）が、空気導管（１７０）およびアンモニア導管（２１０）を含む、請求項１記載の選択的触媒還元システム（１００）。
【請求項１３】
前記空気導管（１７０）および前記アンモニア導管（２１０）が、合流した流れ導管（２４０）を構成する、請求項１２記載の選択的触媒還元システム（１００）。
【請求項１４】
前記合流した流れ導管（２４０）が、複数の合流した流れランス（２５０）と連通している、請求項１３記載の選択的触媒還元システム（１００）。
【請求項１５】
ガスタービンエンジン（１０）の燃焼ガス流（３５）を含む選択的触媒還元システム（１００）を動作させる方法であって、
前記燃焼ガス流（３５）を前記選択的触媒還元システム（１００）に流入させるステップ、
前記選択的触媒還元システム（１００）の入り口（１１０）の周りで冷却用空気流（２０）を前記燃焼ガス流（３５）に注入するステップ、
前記選択的触媒還元システム（１００）の入り口（１１０）の周りでアンモニア流（１８０）を前記燃焼ガス流（３５）に注入するステップ、
前記燃焼ガス流（３５）と前記冷却用空気流（２０）と前記アンモニア流（１８０）とを混合するステップ、および
前記混合流を触媒（１３０）と反応させるステップ
を含む方法。
【発明の詳細な説明】
【技術分野】
【０００１】
本出願およびその結果得られる本特許は、一般に、ガスタービンエンジンに関し、より詳細には、ガスタービン選択的触媒還元システム（ｇａｓ  ｔｕｒｂｉｎｅ  ｓｅｌｅｃｔｉｖｅ  ｃａｔａｌｙｓｔ  ｒｅｄｕｃｔｉｏｎ  ｓｙｓｔｅｍ）内の高温燃焼ガスの温度を抑えるためのアンモニア注入調節（ｔｅｍｐｅｒｅｄ  ａｍｍｏｎｉａ  ｉｎｊｅｃｔｉｏｎ）に関する。
【背景技術】
【０００２】
ガスタービンエンジンの燃焼過程においては、窒素酸化物および他の種類の規制排出物が生成される。具体的には、単純サイクルガスタービンは、許容できないレベルの窒素酸化物を含んでいる高温煙道ガスを排出する。全体的な窒素酸化物排出レベルを抑えるための１つの解決策は、選択的触媒還元システムを使用することである。一般に説明される選択的触媒還元システムは、高温燃焼ガス流に還元剤、通常はアンモニアまたは尿素を添加してから、この燃焼ガス流を触媒床に通して、窒素酸化物および還元剤を選択的に吸収する。吸収された成分は、触媒表面において化学反応を起こし、反応生成物が脱着される。具体的には、反応物は、燃焼ガス流の中の窒素酸化物と反応して、水と窒素を形成する。他の種類の触媒および他の種類の還元剤を使用してもよい。
【０００３】
選択的触媒還元システムの全体効率は、燃焼ガス流の温度に一部、依存する場合がある。具体的には、選択的触媒還元システムの効率的な温度範囲が比較的狭いことがある。したがって、高温燃焼ガス流は、一般に、冷却されてから触媒床に到達すべきである。さらには、選択的触媒還元システムが十分なレベルの窒素酸化物などを変換し除去するには、触媒の上流の燃焼ガス流に対して還元剤を慎重に計測し分布させる必要がある。
【先行技術文献】
【特許文献】
【０００４】
【特許文献１】米国特許出願公開第２０１１／０３６０６６号明細書
【発明の概要】
【０００５】
本出願およびその結果得られる本特許は、ガスタービンの燃焼ガス流とともに使用するための選択的触媒還元システムを提供する。この選択的触媒還元システムは、ガスタービンの周りに配置された入り口、入り口の周りに配置された複合型アンモニア調節空気注入グリッド（ｃｏｍｂｉｎｅｄ  ａｍｍｏｎｉａ−ｔｅｍｐｅｒｉｎｇ  ａｉｒ  ｉｎｊｅｃｔｉｏｎ  ｇｒｉｄ）、および複合型アンモニア調節空気注入グリッドの下流に配置された触媒を含むことができる。この複合型アンモニア調節空気注入グリッドは、触媒の上流の燃焼ガス流に空気とアンモニアを注入する。
【０００６】
本出願およびその結果得られる本特許は、ガスタービンエンジンの燃焼ガス流を含む選択的触媒還元システムを動作させる方法をさらに提供する。この方法は、燃焼ガス流を選択的触媒還元システムに流入させるステップ、選択的触媒還元システムの入り口の周りで冷却用空気流を燃焼ガス流に注入するステップ、選択的触媒還元システムの入り口の周りでアンモニア流を燃焼ガス流に注入するステップ、燃焼ガス流と冷却用空気流とアンモニア流とを混合するステップ、およびこの混合流を触媒と反応させるステップを含むことができる。
【０００７】
本出願およびその結果得られる本特許は、選択的触媒還元システムの入り口の周りで使用される複合型アンモニア調節空気注入グリッドをさらに提供する。この複合型アンモニア調節空気注入グリッドには、入り口の周りに配置されて空気の流れを提供するためのいくつかの空気注入ランス、および入り口の周りに配置されてアンモニアの流れを提供するためのいくつかのアンモニア注入ランスが設けられる。アンモニア注入ランスは、空気注入ランスの周りに配置されて、空気の流れがアンモニア注入ランスを冷却することになる。
【０００８】
本出願およびその結果得られる本特許のこれらならびに他の特徴および改良点は、いくつかの図面および添付の特許請求の範囲と併せて次の詳細な説明を検討すると、当業者には明らかになるであろう。
【図面の簡単な説明】
【０００９】
【図１】圧縮機、燃焼器、タービン、負荷を含むガスタービンエンジン、および選択的触媒還元システムを示す概略図である。
【図２】ガスタービンエンジン、および選択的触媒還元システムの一代替実施形態の概略図である。
【図３】ガスタービンエンジン、および本明細書において説明され得る選択的触媒還元システムの概略図である。
【図４】ガスタービンエンジン、および本明細書において説明され得る選択的触媒還元システムの一代替実施形態の概略図である。
【発明を実施するための形態】
【００１０】
次に、図面を参照すると、ここでは同様の数字がいくつかの図全体を通して同様の要素を示しており、図１は、本明細書において使用され得るガスタービンエンジン１０の概略図を示している。ガスタービンエンジン１０は、圧縮機１５を含むことができる。圧縮機１５は、入ってくる空気流れ２０を圧縮する。圧縮機１５は、圧縮された空気流れ２０を燃焼器２５に送給する。燃焼器２５は、圧縮された空気流れ２０を加圧された燃料流れ３０と混合し、この混合物に点火して、燃焼ガス流れ３５を生成する。たった１つの燃焼器２５しか示されていないが、ガスタービンエンジン１０は、円周方向の配列などで配置された任意の数の燃焼器２５を含んでいてもよい。燃焼ガス流れ３５は、次に、タービン４０に送給される。燃焼ガス流れ３５は、タービン４０を駆動して、機械的仕事を生み出す。タービン４０において生成された機械的仕事は、シャフト、および発電機などの外部負荷を介して、圧縮機１５を駆動させる。
【００１１】
ガスタービンエンジン１０は、天然ガス、様々な種類の合成ガス、液体燃料、および／または他の種類の燃料、ならびにそれらの配合物を使用することができる。ガスタービンエンジン１０は、異なる構成を有しても、他の種類の構成要素を使用してもよい。他の種類のガスタービンエンジンを本明細書において使用してもよい。複数のガスタービンエンジン、他の種類のタービン、および他の種類の発電設備を本明細書においてともに使用してもよい。
【００１２】
ガスタービンエンジン１０はまた、選択的触媒還元システム４５を含むことができる。選択的触媒還元システム４５は、タービン４０の下流に配置され得る。上述したように、選択的触媒還元システム４５はその中に、燃焼ガス流３５と反応するように触媒５０を含むことができる。触媒５０は、従来の設計のものであってよく、適切な担体成分と活性触媒成分とから作製され得る。異なる種類の触媒５０を本明細書において使用してもよい。触媒５０は、任意の適切な大きさ、形状、または構成を有することができる。選択的触媒還元システム４５は、入り口５５からスタック６０または他の種類の排気部まで延びることができる。アンモニア注入グリッド６５を触媒５０の周りに配置して、アンモニアなどの還元剤を燃焼ガス流３５に注入することができる。アンモニア注入グリッド６５は、アンモニア源７０と連通していることができる。アンモニア注入グリッド６５は、広範囲の配管システムを介してアンモニア源７０と連通して、入ってくる燃焼ガス流３５中に適切なアンモニア分布をもたらすことができる。スタック６０または他の種類の排気部は、触媒５０の下流に配置してもよい。
【００１３】
選択的触媒還元システム４５はまた、調節用空気システム７５も含むことができる。調節用空気システム７５は、燃焼ガス流３５の温度を下げてから、このガス流３５が触媒５０に到達するようにできる。調節用空気システム７５は、選択的触媒還元システム４５の入り口５５の周りに、かつアンモニア注入グリッド６５および触媒５０の上流に配置された調節用空気グリッド８０を含むことができる。調節用空気グリッド８０は、調節用空気ファン８５または他の種類の空気移動装置を介して、周囲空気源２０と連通することができる。ガス混合器９０は、調節用空気グリッド８０の下流に配置され得る。ガス混合器９０は、一連のバッフルなどを含むことができる。ガス混合器９０は、適切な温度分布を得るように、入ってくる燃焼ガス流３５と周囲空気２０とを混合することができる。ここで冷却された流れは、次いで、アンモニア注入グリッド６５を通過し触媒５０に流れて、触媒５０と反応することができる。
【００１４】
図２は、代替の選択的触媒還元システム９５を含むガスタービンエンジン１０を示している。この例では、選択的触媒還元システム９５は、調節用空気システム７５を使用しなくてもよい。代わりに、選択的触媒還元システム９５では、アンモニア注入グリッド６５を、触媒５０に対して距離を置いて選択的触媒還元システム９５の入り口５５の周りに配置することができる。高温燃焼ガス流３５がタービン４０から排出するときに、このガス流３５に直接、アンモニアを注入することによって、アンモニア注入グリッド６５は、タービン４０から排出する複雑なガス流れパターンに対応することができる。本明細書において説明する選択的触媒還元システムは、単に例示目的にすぎない。他の種類の選択的触媒還元システムおよびシステム構成要素を使用してもよい。
【００１５】
図３は、本明細書において説明され得る選択的触媒還元システム１００を含むガスタービンエンジン１０を示している。選択的触媒還元システム１００は、タービン４０の周りに配置された入り口１１０から、その下流端におけるスタック１２０または他の種類の排気部まで延びることができる。選択的触媒還元システム１００は、任意の適切な大きさ、形状、構成、または容量を有することができる。
【００１６】
選択的触媒還元システム１００は、触媒１３０を含むことができる。触媒１３０は、従来の設計のものであってよい。触媒１３０は、選択的触媒還元システム１００内に、入り口１１０から下流に距離を置いて配置され得る。
【００１７】
選択的触媒還元システム１００は、複合型アンモニア調節空気注入グリッド１４０を含むことができる。複合型アンモニア調節空気注入グリッド１４０は、燃焼ガス流３５の経路内の選択的触媒還元システム１００の入り口１１０の周りに配置され得る。複合型アンモニア調節空気注入グリッド１４０は、調節用空気ファン１５０または他の種類の空気移動装置を介して、周囲空気流れ２０と連通することができる。調節用空気ファン１５０は、任意の適切な大きさ、形状、または構成を有することができる。複合型アンモニア調節空気注入グリッド１４０は、入り口１１０の周りに配置された、いくつかの空気注入ランス１６０を含むことができる。空気注入ランス１６０は、任意の適切な大きさ、形状、または構成を有することができる。任意の数の空気注入ランス１６０を使用してもよい。空気注入ランス１６０は、１つまたは複数の調節用空気導管１７０を介して、調節用空気ファン１５０からの周囲空気２０または他の種類の空気源と連通することができる。調節用空気導管１７０は、任意の適切な大きさ、形状、または構成を有することができる。他の構成要素および他の構成を本明細書において使用してもよい。
【００１８】
複合型アンモニア調節空気注入グリッド１４０はまた、アンモニア源１９０からのアンモニア流れ１８０または他の種類の還元剤と連通することができる。複合型アンモニア調節空気注入グリッド１４０は、入り口１１０の周りに配置された、いくつかのアンモニア注入ランス２００を含むことができる。アンモニア注入ランス２００は、任意の適切な大きさ、形状、または構成を有することができる。任意の数のアンモニア注入ランス２００を使用してもよい。アンモニア注入ランス２００は、１つまたは複数のアンモニア導管２１０を介して、アンモニア流れ１８０と連通することができる。アンモニア導管２１０は、任意の適切な大きさ、形状、または構成を有することができる。１つまたは複数のポンプ（図示せず）あるいは他の種類の流体移送装置を本明細書において使用してもよい。
【００１９】
空気注入ランス１６０およびアンモニア注入ランス２００は、専用の噴霧ノズルを含む別個の構造体であっても、および／または二重の流体噴霧ノズルが使用されてもよい。空気流れとアンモニア流れとを組み合わせることによって、周囲空気流れ２０は、アンモニア注入ランス２００を冷却して、高熱燃焼ガス流３５からアンモニア注入ランス２００を熱的に保護することができる。具体的には、周囲空気流れ２０は、アンモニア注入ランス２００を冷却して、複合型アンモニア調節空気注入グリッド１４０を空気注入グリッドの下流ではなく入り口１１０の周りに配置して熱的保護できるように働く。さらには、複合型アンモニア調節空気注入グリッド１４０を入り口１１０に配置することによって、高温燃焼ガス３５は、周囲空気流れ２０におけるアンモニア流れ１８０を触媒の上流のアンモニア蒸気へと蒸発して、うまく全体的に分布させることが可能である。他の構成要素および他の構成を本明細書において使用してもよい。
【００２０】
ガス混合器２２０が、複合型アンモニア調節空気注入グリッド１４０の下流に配置されてもよい。ガス混合器２２０は、一連のバッフルなどを含むことができる。ガス混合器２２０は、任意の適切な大きさ、形状、または構成を有することができる。ガス混合器２２０は、燃焼ガス流３５において周囲空気流れ２０とアンモニア流れ１８０とを混合し配合することができる。ガス混合器２２０は、適切なアンモニア分布だけでなく適切な温度分布も燃焼ガス流３５に提供する。他の構成要素および他の構成を本明細書において使用してもよい。
【００２１】
図４は、複合型アンモニア調節空気注入グリッド２３０の代替の一実施形態を示している。この例では、アンモニア導管２１０は、調節用空気導管１７０と合流して１つまたは複数の合流した流れ導管２４０になって、１つまたは複数の合流した流れランス２５０とともに使用することが可能である。さらなる代替案として、それぞれの導管およびランスは、同軸であってもよく、二重の流体噴霧ノズルにつながっていてもよい。上記のように、周囲空気流れ２０は、アンモニア成分を冷却して、複合型アンモニア調節空気注入グリッド１４０を空気注入グリッドの下流ではなく、選択的触媒還元システム１００の入り口１１０の周りに配置できるように働く。他の構成要素および他の構成を本明細書において使用してもよい。
【００２２】
使用に際して、タービン４０からの高温燃焼ガス流３５は、選択的触媒還元システム１００の入り口部１１０に入る。燃焼ガス流３５は、注入ランス１６０、２００が周囲空気流れ２０およびアンモニア流れ１８０を注入すると、複合型アンモニア調節空気注入グリッド１４０を通過して流れる。周囲空気流れ２０は、燃焼ガス流３５を冷却するとともに、アンモニア注入ランス２００を保護する。アンモニア流れ１８０は、一旦、注入されると、燃焼ガス流３５内に蒸発して、触媒１３０の上流のアンモニア蒸気になることができる。ガス混合器２２０は、良好な混合流を促進し、触媒１３０の周りに温度およびアンモニアが実質的に均一に分布する。
【００２３】
複合型アンモニア調節空気注入グリッド１４０により、別個の空気注入グリッドおよびアンモニア注入グリッド、ならびに関連の配管の必要性がさらに回避される。さらには、燃焼ガス流３５の流れパターンに対応するように設計されている特定の噴霧ノズルも回避され得る。したがって、複合型アンモニア調節空気注入グリッド１４０は、タービン４０からの燃焼ガス流３５を、簡素化した、それほど高価でない設計で、触媒１３０とともに効率的に使用するのに適切な温度範囲内まで冷却する。
【００２４】
上記が本出願およびその結果得られる本特許の特定の実施形態にのみ関するものであることは明らかであるはずである。添付の特許請求の範囲およびその均等物によって定義される本発明の概括的な趣旨および範囲から逸脱することなく、当業者によって本明細書において多数の変更および修正を行うことができる。
【００２５】
最後に、代表的な実施態様を以下に示す。
［実施態様１］
ガスタービン（１０）の燃焼ガス流（３５）とともに使用するための選択的触媒還元システム（１００）であって、
前記ガスタービン（１０）の周りに配置された入り口（１１０）、
前記入り口（１１０）の周りに配置された複合型アンモニア調節空気注入グリッド（１４０）、および
前記複合型アンモニア調節空気注入グリッド（１４０）の下流に配置された触媒（１３０）
を備え、
前記複合型アンモニア調節空気注入グリッド（１４０）が、空気（２０）およびアンモニア（１８０）を前記触媒（１３０）の上流の前記燃焼ガス流（３５）に注入する、
選択的触媒還元システム（１００）。
［実施態様２］
前記複合型アンモニア調節空気注入グリッド（１４０）が、複数の空気注入ランス（１６０）を含む、実施態様１記載の選択的触媒還元システム（１００）。
［実施態様３］
前記複合型アンモニア調節空気注入グリッド（１４０）が、前記複数の空気注入ランス（１６０）と連通している空気源（２０）を含む、実施態様２記載の選択的触媒還元システム（１００）。
［実施態様４］
前記複合型アンモニア調節空気注入グリッド（１４０）が、前記複数の空気注入ランス（１６０）と連通している１つまたは複数の空気導管（１７０）を含む、実施態様２または３記載の選択的触媒還元システム（１００）。
［実施態様５］
前記複合型アンモニア調節空気注入グリッド（１４０）が、前記複数の空気注入ランス（１６０）と連通している１つまたは複数のファン（１５０）を含む、実施態様２乃至４のいずれか１項記載の選択的触媒還元システム（１００）。
［実施態様６］
前記複合型アンモニア調節空気注入グリッド（１４０）が、複数のアンモニア注入ランス（２００）を含む、実施態様２乃至５のいずれか１項記載の選択的触媒還元システム（１００）。
［実施態様７］
前記複数のアンモニア注入ランス（２００）が、前記複数の空気注入ランス（１６０）の周りに配置されている、実施態様６記載の選択的触媒還元システム（１００）。
［実施態様８］
前記複数の空気注入ランス（１６０）からの前記空気流れ（２０）が、前記複数のアンモニア注入ランス（２００）を冷却する、実施態様６または７記載の選択的触媒還元システム（１００）。
［実施態様９］
前記複合型アンモニア調節空気注入グリッド（１４０）が、前記複数のアンモニア注入ランス（２００）と連通しているアンモニア源（１９０）を含む、実施態様６乃至８のいずれか１項記載の選択的触媒還元システム（１００）。
［実施態様１０］
前記複合型アンモニア調節空気注入グリッド（１４０）が、前記複数のアンモニア注入ランス（２００）と連通している１つまたは複数のアンモニア導管（２１０）を含む、実施態様６乃至９のいずれか１項記載の選択的触媒還元システム（１００）。
［実施態様１１］
前記複合型アンモニア調節空気注入グリッド（１４０）の下流に配置されたガス混合器（２２０）をさらに備える、実施態様１乃至１０のいずれか１項記載の選択的触媒還元システム（１００）。
［実施態様１２］
前記複合型アンモニア調節空気注入グリッド（１４０）が、空気導管（１７０）およびアンモニア導管（２１０）を含む、実施態様１乃至３のいずれか１項記載の選択的触媒還元システム（１００）。
［実施態様１３］
前記空気導管（１７０）および前記アンモニア導管（２１０）が、合流した流れ導管（２４０）を構成する、実施態様１２記載の選択的触媒還元システム（１００）。
［実施態様１４］
前記合流した流れ導管（２４０）が、複数の合流した流れランス（２５０）と連通している、実施態様１３記載の選択的触媒還元システム（１００）。
［実施態様１５］
ガスタービンエンジン（１０）の燃焼ガス流（３５）を含む選択的触媒還元システム（１００）を動作させる方法であって、
前記燃焼ガス流（３５）を前記選択的触媒還元システム（１００）に流入させるステップ、
前記選択的触媒還元システム（１００）の入り口（１１０）の周りで冷却用空気流（２０）を前記燃焼ガス流（３５）に注入するステップ、
前記選択的触媒還元システム（１００）の入り口（１１０）の周りでアンモニア流（１８０）を前記燃焼ガス流（３５）に注入するステップ、
前記燃焼ガス流（３５）と前記冷却用空気流（２０）と前記アンモニア流（１８０）とを混合するステップ、および
前記混合流を触媒（１３０）と反応させるステップ
を含む方法。
［実施態様１６］
選択的触媒還元システム（１００）の入り口（１１０）の周りで使用するための複合型アンモニア調節空気注入グリッド（１４０）であって、
前記入り口（１１０）の周りに配置されて空気流れ（２０）を提供するための複数の空気注入ランス（１６０）、および
前記入り口（１１０）の周りに配置されてアンモニア流れ（１８０）を提供するための複数のアンモニア注入ランス（２００）
を備え、
前記複数のアンモニア注入ランス（２００）は、前記空気流れ（２０）が前記複数のアンモニア注入ランス（２００）を冷却するように、前記複数の空気注入ランス（１６０）の周りに配置される、
複合型アンモニア調節空気注入グリッド（１４０）。
［実施態様１７］
前記複数の空気注入ランス（１６０）と連通している空気源（２０）およびファン（１５０）をさらに備える、実施態様１６記載の複合型アンモニア調節空気注入グリッド（１４０）。
［実施態様１８］
前記複数のアンモニア注入ランス（２００）と連通しているアンモニア源（１９０）をさらに備える、実施態様１６または１７記載の複合型アンモニア調節空気注入グリッド（１４０）。
［実施態様１９］
空気導管（１７０）およびアンモニア導管（２１０）をさらに備える、実施態様１６乃至１８のいずれか１項記載の複合型アンモニア調節空気注入グリッド（１４０）。
［実施態様２０］
前記空気導管（１７０）および前記アンモニア導管（２１０）が、合流した流れ導管（２４０）を構成する、実施態様１９記載の複合型アンモニア調節空気注入グリッド（１４０）。
【符号の説明】
【００２６】
１０  ガスタービンエンジン
１５  圧縮機
２０  空気流れ、空気流、空気源
２５  燃焼器
３０  燃料流れ
３５  燃焼ガス流れ、燃焼ガス流
４０  タービン
４５  選択的触媒還元システム
５０  触媒
５５  入り口
６０  スタック
６５  アンモニア注入グリッド
７０  アンモニア源
７５  調節用空気システム
８０  調節用空気グリッド
８５  調節用空気ファン
９０  ガス混合器
９５  選択的触媒還元システム
１００  選択的触媒還元システム
１１０  入り口
１２０  スタック
１３０  触媒
１４０  複合型アンモニア調節空気注入グリッド
１５０  調節用空気ファン
１６０  空気注入ランス
１７０  調節用空気導管
１８０  アンモニア流れ
１９０  アンモニア源
２００  アンモニア注入ランス
２１０  アンモニア導管
２２０  ガス混合器
２３０  複合型アンモニア調節空気注入グリッド
２４０  合流した流れ導管
２５０  合流した流れランス
【図１】
2020503485.tif 000003
【図２】
2020503485.tif 000004
【図３】
2020503485.tif 000005
【図４】
2020503485.tif 000006
【国際調査報告】
2020503485.tif 000007
2020503485.tif 000008
2020503485.tif 000009